【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  第１のエアインタフェースに従って作動する第１のタイプの基地局と、第２のエアインタフェースに従って作動する第２のタイプの基地局とを含む移動無線通信システムにおいて、前記システムの移動局を前記第１のタイプである第１の基地局から前記第２のタイプである第２の基地局へハンドオーバする方法であって、
前記移動局と前記第１の基地局との間の前記第１のエアインタフェースを介して通信リンクを確立し、
実質的に前記第１の基地局との前記通信リンクを遮断しないで前記第２の基地局から前記第２のエアインタフェースを介して前記移動局によって受信される信号を応じて前記移動局からデータを受信し、
それから受信されたデータに応じて前記移動局を前記第１の基地局から前記第２の基地局へハンドオーバすることとを含むことを特徴とする方法。
【請求項２】  前記データを受信することが、信号強度の大きさを受信することを含み、かつ前記移動局をハンドオーバすることが、前記第１および第２の基地局からの信号強度の大きさを比較し、かつこの比較に応じて前記移動局をハンドオーバすることを含むことを特徴とする請求項１記載の方法。
【請求項３】  前記データを受信することが、重み係数を信号強度の大きさに適用することを含むことを特徴とする請求項２記載の方法。
【請求項４】  前記重み係数を適用することが、前記システムのネットワーク状態に従ってこの係数を変えることを含むことを特徴とする請求項３記載の方法。
【請求項５】  前記重み係数を適用することが、重み係数を前記通信リンクを介して前記重み係数を前記大きさに適用する前記移動局に送信することを含むことを特徴とする請求項３記載の方法。
【請求項６】  前記データを受信することが、前記第２のエアインタフェースを介して受信された前記信号の前記移動局によって復号化することに基づいて前記第２の基地局のＩＤを受信することを含むことを特徴とする請求項１記載の方法。
【請求項７】  請求項１記載の方法であって、かつ前記システムの前記第２のタイプの基地局の周波数のリストを前記移動局が前記リストの周波数で前記信号を受信しようとするように前記第１の基地局から前記移動局に送信することを含むことを特徴とする方法。
【請求項８】  前記移動局をハンドオーバすることが前記第１の基地局からハンドオーバコマンドを送信することを含むことを特徴とする請求項１記載の方法。
【請求項９】  前記通信リンクを確立し、かつ前記信号に応じて前記データを受信することが、前記リンクを確立し、かつ前記移動局の単一ＲＦトランシーバを使用して前記移動局でこの信号を受信することを含むことを特徴とする請求項１記載の方法。
【請求項１０】  前記第１および第２のエアインタフェースの一方がＴＤＭＡインタフェースを含み、かつ前記インタフェースの他方がＣＤＭＡインタフェースを含むことを特徴とする請求項１記載の方法。
【請求項１１】  前記ＴＤＭＡインタフェースがＧＳＭインタフェースを含み、かつ前記ＣＤＭＡインタフェースがＧＳＭネットワークメッセージを伝えるように構成されていることを特徴とする請求項１０記載の方法。
【請求項１２】  前記ＣＤＭＡインタフェースがＩＳ‐９５規格に基づいていることを特徴とする請求項１０記載の方法。
【請求項１３】  前記通信リンクを確立することが、前記第１のエアインタフェースを確立するために単一無線資源管理プロトコルレイヤを使用することを含み、かつ前記移動局をハンドオーバすることが、前記第２のエアインタフェースを管理するために前記単一無線資源管理プロトコルレイヤを使用することを含むことを特徴とする請求項１０記載の方法。
【請求項１４】  前記移動局から前記データを受信することが、前記第１のエアインタフェースによって利用できる第１の領域と前記第２のエアインタフェースによって利用できる第２の領域との間の重なり合う領域を規定し、かつ前記移動局が前記重なり合う領域にある場合、前記データを受信するように前記移動局を作動させることを含むことを特徴とする請求項１記載の方法。
【請求項１５】  前記第１のエアインタフェースがＣＤＭＡインタフェースを含み、かつ前記第２のエアインタフェースがＧＳＭ／ＴＤＭＡインタフェースを含み、前記移動局からデータを受信することが、ＧＳＭ／ＴＤＭＡ信号を受信し、かつ復号化するようにＣＤＭＡ通信リンクを遮断するように前記移動局をゲーティングすることを含むことを特徴とする請求項１記載の方法。
【請求項１６】  前記移動局をゲーティングすることが、ＩＳ‐９５フレームの持続時間ＣＤＭＡ通信を遮断することを含むことを特徴とする請求項１５記載の方法。
【請求項１７】  前記データを受信することが、前記移動局による前記信号のＧＳＭ周波数補正および同期チャネルの復号化に基づいて前記第２の基地局のＩＤを受信することを含むことを特徴とする請求項１５記載の方法。
【請求項１８】  前記第１のエアインタフェースがＧＳＭ／ＴＤＭＡインタフェースを含み、かつ前記第２のエアインタフェースがＣＤＭＡインタフェースを含み、前記移動局から前記データを受信することが、ＣＤＭＡ信号を受信および復号化するために前記通信リンクを遮断するように前記移動局を制御することを含むことを特徴とする請求項１記載の方法。
【請求項１９】  前記データを受信することが、前記ＧＳＭ／ＴＤＭＡインタフェースを通して時刻情報を伝えることを含むことを特徴とする請求項１８記載の方法。
【請求項２０】  前記時刻情報を伝えることが、ＧＳＭセル放送サービスを使用して前記システムを通して時刻情報を放送することを含むことを特徴とする請求項１９記載の方法。
【請求項２１】  前記時刻情報を放送することが、前記システムの前記第１のタイプの基地局と通信してトランシーバから時刻および関連ＧＳＭフレーム番号を受信することを含むことを特徴とする請求項２０記載の方法。
【請求項２２】  前記移動局が、時刻を得るように前記ＣＤＭＡ信号の同期チャネルを復号化することを特徴とする請求項１９記載の方法。
【請求項２３】  前記データを受信することが、前記第２のタイプの基地局から信号のために前記移動局による検索を開始するためにＧＳＭセル放送サービスメッセージを前記移動局に伝えることを含むことを特徴とする請求項１８記載の方法。
【請求項２４】  前記ＧＳＭセル放送サービスメッセージを前記移動局に伝えることが、前記移動局が専用モードで作動している間、前記移動局によって受信されるように前記メッセージを伝えることを含むことを特徴とする請求項１８記載の方法。
【請求項２５】  前記移動局から前記データを受信することが、前記移動局によって復号化されるＣＤＭＡパイロットビームのＩＤを受信することを含むことを特徴とする請求項１８記載の方法。
【請求項２６】  請求項１８記載の方法であって、かつ前記ハンドオーバを制御するように前記第２の基地局をＧＳＭ基地局とマッピングすることを含むことを特徴とする方法。
【請求項２７】  前記移動局を制御することが、前記基地局によって受信されるように前記データを生成するために前記ＴＤＭＡインタフェースを介して前記基地局と通信する間、第１のＴＤＭＡタイムスロット中前記ＣＤＭＡ信号を受信し、かつその後のＴＤＭＡタイムスロット中前記信号を復号化するように前記移動局を制御することを含むことを特徴とする請求項１８記載の方法。
【請求項２８】  時刻情報をＧＳＭ無線通信システムの移動局に伝える方法であって、
前記時刻情報を前記システムに入力し、
前記システムを介して前記情報を前記移動局に放送することとを含むことを特徴とする方法。
【請求項２９】  前記ＧＳＭ無線通信システムがセル放送システムを含み、かつ前記時刻情報を放送することが前記情報を前記セル放送システムを介して放送することを含むことを特徴とする請求項２８記載の方法。
【請求項３０】  前記時刻情報を放送することが、前記局が専用モードで作動している間、前記移動局によって受信されるようにメッセージを放送することを含むことを特徴とする請求項２９記載の方法。
【請求項３１】  前記時刻情報を放送することが、前記システムと通信して時刻および関連ＧＳＭフレーム番号をトランシーバから受信することを含むことを特徴とする請求項２８記載の方法。
【請求項３２】  請求項３１記載の方法であって、かつ前記時刻情報を使用してＣＤＭＡ伝送信号に対して前記移動局を同期化することを含むことを特徴とする方法。
【請求項３３】  請求項２８記載の方法であって、かつそれによって前記システムの複数の基地局への時刻情報の伝送に応じて前記移動局の位置を決定することを含むことを特徴とする方法。
【請求項３４】  前記時刻を入力することが、前記時刻情報を有するトランシーバから前記セル放送局のデータ呼び出しを開始することを含むことを特徴とする請求項２８記載の方法。
【請求項３５】  前記データ呼び出しを開始することが、時刻情報をＧＰＳ装置から受信することを含むことを特徴とする請求項３４に記載の方法。
【請求項３６】  前記データ呼び出しを開始することが、時刻情報を前記ＧＳＭシステムに関連したＣＤＭＡから時刻情報を受信することを含むことを特徴とする請求項３４記載の方法。
【請求項３７】  そのサブシステムの少なくとも１つがＣＤＭＡエアインタフェースに従って作動する第１の基地局サブシステムおよび第２の基地局サブシステムを含むＧＳＭ移動無線通信システムにおいて、前記システムの移動局を第１の基地局サブシステムから第２の基地局サブシステムへハンドオーバする方法であって、
前記ＣＤＭＡエアインタフェースに従って作動する前記第１および第２のサブシステムの少なくとも１つをＧＳＭ／ＴＤＭＡサブシステムとマッピングし、
前記移動局が第１の信号を前記第１の基地局サブシステムから受信するように前記移動局と前記第１の基地局サブシステムとの間に通信リンクを確立し、
実質的に前記第１の基地局サブシステムとの前記通信リンクを遮断しないて、前記移動局によって前記第２の基地局サブシステムから受信される第２の信号に応じてデータを前記移動局から受信し、
実質的にあたかも前記第１および第２の基地局サブシステムの両方がＧＳＭ／ＴＤＭＡサブシステムであるかのように前記第１および第２の信号の強度を比較し、
前記信号強度の比較に応じて前記移動局を前記第１の基地局サブシステムから前記第２の基地局へハンドオーバすることとを含むことを特徴とする方法。
【請求項３８】  前記ＣＤＭＡエアインタフェースに従って作動する前記サブシステムの前記少なくとも１つをマッピングすることが、ＧＳＭ周波数および位置を前記サブシステムに割り当てることを含むことを特徴とする請求項３７記載の方法。
【請求項３９】  前記通信リンクを確立し、かつ前記移動局をハンドオーバすることが、ＧＳＭＡ‐インタフェースを介して前記第１および第２のサブシステムと前記システムの移動交換局との間でメッセージを伝えることを含むことを特徴とする請求項３７記載の方法。
【請求項４０】  前記第１および第２の基地局サブシステムの両方がＣＤＭＡエアインタフェースに従って作動することを特徴とする請求項３９記載の方法。
【請求項４１】  前記移動局をハンドオーバすることが、実質的にＡインタフェースプロトコルに違反しないで前記Ａインタフェースを通して新しいＩＳ‐９５の長いコードを伝えることを含むことを特徴とする請求項４０記載の方法。
【請求項４２】  データを前記移動局から受信することが、重み係数を前記第２の信号に適用することを含み、前記信号の強度を比較することが前記重み付け信号を比較することを含むことを特徴とする請求項３７記載の方法。
【請求項４３】  前記重み係数を適用することが、前記重み係数を前記第２の信号に適用する前記移動局に前記重み係数を伝えることを含むことを特徴とする請求項４２記載の方法。
【請求項４４】  前記重み係数を適用することが、前記システムのネットワーク状態に従って前記係数を変えることを含むことを特徴とする請求項４２記載の方法。
【請求項４５】  移動通信システムで使用するための無線通信装置であって、  第１のエアインタフェースに従って第１の信号を送受信する第１のタイプの基地局と、
第２のエアインタフェースに従って第２の信号を送受信する第２のタイプの基地局と、
前記第１のエアインタフェースを介する前記第１のタイプの基地局との通信リンクを保持している間、前記第２のエアインタフェースを介して前記第２の信号を前記第２のタイプの基地局から受信し、かつ前記送信データに応じて前記第１の基地局から前記第２の基地局へハンドオーバされるように前記第２の信号に応じてデータを前記第１のタイプの前記基地局に送信する移動局とを備えていることを特徴とする無線通信装置。
【請求項４６】  前記移動局によって送信される前記データが、前記移動局が前記第１および第２の信号の信号強度の比較に応じてハンドオーバされるように信号強度の大きさを含むことを特徴とする請求項４５記載の装置。
【請求項４７】  重み係数が前記信号強度の大きさに適用されることを特徴とする請求項４６記載の装置。
【請求項４８】  前記重み係数が前記システムのネットワーク状態に従って変えられることを特徴とする請求項４７記載の装置。
【請求項４９】  前記重み係数が、前記通信リンクを介して前記重み係数を前記大きさに適用する前記移動局に送信されることを特徴とする請求項４６記載の装置。
【請求項５０】  前記移動局が、前記第２の信号を復号化し、前記第２のタイプの前記基地局のＩＤを決定することを特徴とする請求項４５記載の装置。
【請求項５１】  前記第１のタイプの前記基地局が、前記システムの前記第２のタイプの移動局の周波数のリストを前記移動局に、前記移動局が前記リストの周波数で前記第２の信号を受信しようとするように送信することを特徴とする請求項４５記載の装置。
【請求項５２】  前記第１のタイプの基地局がハンドオーバコマンドを前記移動局に送信し、それによって前記移動局が前記第１の基地局から前記第２の基地局へハンドオーバされることを特徴とする請求項４５記載の装置。
【請求項５３】  前記移動局が、前記第１および第２のタイプの前記基地局の両方と通信する単一ＲＦトランシーバを含むことを特徴とする請求項４５記載の装置。
【請求項５４】  前記第１および第２のエアインタフェースの一方がＴＤＭＡインタフェースを含み、かつ前記インタフェースの他方がＣＤＭＡインタフェースを含むことを特徴とする請求項４５記載の装置。
【請求項５５】  前記ＴＤＭＡインタフェースがＧＳＭインタフェースを含み、かつ前記ＣＤＭＡインタフェースがＧＳＭネットワークメッセージを伝えるように構成されていることを特徴とする請求項５４記載の装置。
【請求項５６】  前記ＣＤＭＡインタフェースがＩＳ‐９５規格に基づいていることを特徴とする請求項５４記載の装置。
【請求項５７】  前記移動局が、前記第１および第２のエアインタフェースの両方を管理するために単一無線資源管理プロトコルレイヤを使用することを特徴とする請求項５４記載の装置。
【請求項５８】  前記移動局が、前記第１のエアインタフェースによって利用できる第１の領域と前記第２のエアインタフェースによって利用できる第２の領域との間の重なり合う領域にある場合、前記基地局が、前記第２のエアインタフェースを介して前記第２の信号を受信するように前記移動局を作動させることを特徴とする請求項４５記載の装置。